(57)【要約】【課題】過剰水を排出するための二重内壁を伴う簡単な屋外および屋内集合体用の標準化要素を形成する装飾容器を提供することである。【解決手段】この装飾容器は全て開口端のある長手方向構造または角構造によって形成され、カバーが集合体セットの開口端部を覆っている。モジュールが舌片の使用により互いに別の部材を嵌合させることによって互いに結合され、またカバーに結合される。この舌片は両者が結合された後で実行されるシーリングでホール内に嵌めることができる。したがって、剛性、かつ、気密シールを装飾容器の全体に渡って得ることができる。モジュールおよび支持ベースの両方はＵ字状を採りその開口域でより大きい開口部を有している。【選択図】図１
0003123113.tif 000002
【実用新案登録請求の範囲】
【請求項１】
排水および照明システムを備え、さらに自己給水システムの設置に適した標準化された装飾容器であって、
スロット内に嵌合された舌片によって互いに結合された第１外方部材（１００Ａ）と第２内方部材（１００Ｂ）で形成された長手方向モジュール（１００）において、前記舌片およびスロットが互いに両部材を結合するのに適したいずれの方法で前記第１および第２部材（１００Ａ，１００Ｂ）内に配備されている長手方向モジュールおよび／または；
スロット内に嵌合された舌片によって互いに結合された第１外方部材（２００Ａ）と第２内方部材（２００Ｂ）で形成された角度モジュール（２００）において、前記第１および第２部材（２００Ａ，２００Ｂ）が両者を互いに結合するのに適したいずれかの方法で配備されている角度モジュールと、
スロット内に嵌合された舌片によって互いに結合された第１外方部材（４００Ａ）と第２内方部材（４００Ｂ）で形成された閉封カバー（４００）において、前記舌片およびスロットが前記第１および第２部材（４００Ａ，４００Ｂ）に両者を互いに結合するのに適したいずれかの方法で配備されている閉封カバーと
を含んでおり、
前記長手方向モジュール（１００）、前記角度モジュール（２００）および前記閉封カバー（４００）が対応する外方部材（１００Ａ，２００Ａ，４００Ａ）と内方部材（１００Ｂ，２００Ｂ，４００Ｂ）のあいだで余剰水が収集される二重壁（１２０，２２０，４２０）を特徴付けており、さらにモジュール（１００，２００）間に、またモジュール（１００，２００）とカバー（４００）間の結合体が複数のスロット内に嵌合された複数の舌片によって実行されており、前記複数の舌片とスロットがいずれのモジュール（１００，２００）を他のモジュール（１００，２００）とカバー（４００）を結合部材に作成することを適切な方法で許容するモジュール（１００，２００）と前記カバー（４００）の端部に配備されており、したがって該装飾容器のいずれの構成をモジュール（１００，２００）およびカバー（４００）に基づいて実行することを許容し、最終的に水漏れに関してフラワー・ボックスの集合体の耐漏水性を得るためのシーリングを伴った結合部材を提供し、これによって漏水はこの目的で生成された排水要素によってのみ実行できることを特徴とする標準化された装飾容器。
【請求項２】
前記内方部材（１００Ｂ，２００Ｂ，４００Ｂ）が、複数の補強筋を該装飾容器の適切な機械的抵抗性を得るために設けることができる請求項１記載の標準化された装飾容器。
【請求項３】
前記二重壁（１２０，２２０，４２０）が段階付き二重壁であって、各モジュールの底部に沿って連続するように広がっており、二重壁（１２０，２２０，４２０）の下方横方向部（１２０Ａ，２２０Ａ，４２０Ａ）が二重壁の残りの上方横方向支持部よりも僅かに大きい横断幅を有し、余剰水に対する容量を提供しており、前記二重壁（１２０，２２０，４２０）の前記下方横方向部（１２０Ａ，２２０Ａ，４２０Ａ）がモジュールまたはカバー（１００，２００，４００）の横方向高さのほぼ１／３の高さまで延長しており、前記二重壁の前記下方横方向部（１２０Ａ，２２０Ａ，４２０Ａ）がその上方水平面で一連のホール（１２４）を備えており、ここから余剰水が排出され、さらに植物の根および該装飾容器の土の通気を容易にしている請求項１記載の標準化された装飾容器。
【請求項４】
一つのモジュール（１００，２００）を他のモジュール（１００，２００）にまたはカバー（４００）に結合するために各モジュール（１００，２００）の端部に舌片およびスロットが、次のようにして設けられ、
モジュール（１００，２００）の第１長手方向端において、外方部材（１００Ａ，２００Ａ）と内方部材（１００Ｂ，２００Ｂ）の両方でモジュールの第１二重垂直壁の境界域に複数のスロットが設けられ、一方対向する二重垂直壁の境界域に複数の舌片が設けられ、外方部材（１００Ａ，２００Ａ）の舌片が前記部材（１００Ａ，２００Ａ）の内面に配備され、また内方部材（１００Ｂ，２００Ｂ）の舌片が前記内方部材（１００Ｂ，２００Ｂ）の外面に配備され、
モジュール（１００，２００）の第２長手方向端において、同じ二重壁の境界域の前記第１端に複数のスロットが設けられ、外方部材（１００Ａ）の舌片がその内面に設けられ、内方部材（１００Ｂ）の舌片がその外面に設けられ、
モジュール（１００，２００）の基礎にある境界域において、一連（１１０）の偶数の舌片とスロットが交互に、すなわち、モジュール（１００，２００）の第１端で舌片−スロット−舌片−スロットのように、また、モジュール（１００，２００）の第２端でスロット−舌片−スロット−舌片のように配備され、
また、同様の方法で、カバー（４００）にモジュール（１００，２００）の端部にスロットおよびクリップが設けられるか、または舌片が配備されており、全てのカバーに対して同一に、スロット−舌片−スロット−舌片式の単一順序でカバーの基本域のために選択され、したがってカバーは互いに全て同一となり、
さらに、全てのモジュール間で、またモジュールとカバー間で完全な結合部材が許容される限りにおいてスロットおよび舌片の構成の全てはモジュールの端部で、およびカバー上で変更することができる請求項１記載の標準化された装飾容器。
【請求項５】
角度モジュール（２００）がモジュールのエンド・ラインによって形成された角度で提示され、好ましくは９０°または１３５°の角度である請求項１または２記載の標準化された装飾容器。
【考案の詳細な説明】
【技術分野】
【０００１】
余剰水を排出するための二重内壁を伴う簡単な屋外および屋内集合体用の標準化要素を形成する装飾容器であって、この装飾容器は長手方向構造モジュールまたは角構造モジュールないしこれら両者の組み合わせから形成され、これら全ては開口端を有し、閉止部材が集合体セットの開口端部を覆っている。これらのモジュールは舌片の使用により互いに別のパーツを嵌合させることによって互いに結合され、またカバーに結合される。この舌片は両者が結合された後で実行されるシーリングでホール内に嵌めることができる。したがって、剛性、かつ、気密シールを装飾容器の全体に渡って得ることができ、カバーが同様にしてモジュールに添付することができる。モジュールおよび支持ベースはＵ字状を採りその開口域でより大きい開口部を有している。個々のモジュール、およびセットを形成しているモジュールがその端部で閉封カバーによって閉止される。これらのカバーはモジュールに結合されるとともにシールされる。
【０００２】
この種の装飾容器の最適材料は、ポリプロピレン（ＰＰ）またはねじの代わりにシーリング接着剤を使用するプロピレン−エチレンまたはＰＶＣのような同様の材料である。
【背景技術】
【０００３】
庭、バルコニーおよび屋上庭園、事務所内で、また売り場設備の装飾域で使用されるように製造され、かつ、販売されている装飾容器はある一定の設定面積を有しており、区画割りが困難なときに、さらに使用されている材料のためにその多くが重量の点で結合して単一の装飾容器を形成することができないことがしばしばである。
【０００４】
現在市場に出ている装飾容器は、特定域または囲い地用に設計されていない独立ユニットである。これは現在の設計が庭を造るべき場所に適している単一ユニットを形成することができるタイプの装飾容器を製作することが容易でないからである。
【０００５】
いくつかの装飾容器は結合して単一の容器を形成することができない。
【０００６】
現在の装飾容器は地面または支持面上の余剰水を排出する特徴を有していない。
【０００７】
現在の装飾容器内で、照明要素を固定するための部材はない。
【０００８】
本考案のタイプの装飾容器は、ホールに嵌合できる舌片による相互結合方式で両者間の結合を提供し、モジュール上に上方支持ベースを結合することが可能であり、これによって多数の照明要素を固定でき、したがって照明を伴った単一集合体として連続する一体化装飾容器を形成することができる長手方向モジュールまたは角度モジュールのために標準化要素で作られた開口端を有する刷新的な装飾容器によって上述した全ての問題を解決する。
【考案の開示】
【０００９】
本考案の標準化装飾容器は、複数の部材、本質的に長手方向モジュール、角度モジュール、モジュール結合要素ないしモジュール同士を結合する手段および閉封カバーで形成される。
【００１０】
長手方向モジュールはＵ字状セクションを特徴とし、その横方向端部で開口し、その横方向端部の各々が別の長手方向モジュール、角度モジュールまたは閉封カバーとの結合を容易にするように設計され、角度モジュールが同様のセクションを有し、かつ、装飾容器のポット内での方向変換を決定する目的を有しており、その横方向端部の各々が長手方向モジュールと結合するように設計され、閉封カバーがモジュールの端部に結合されるように設計されている。
【００１１】
長手方向モジュールまたは角度モジュール同士間であろうと、モジュールとカバー間であろうと結合部材ないし手段に関して、Ｕ字状部材のシールタイト結合を許容するシステムは、当該技術において周知であって、互いに結合され、かつ、完全に平坦な水平面でないか、または僅かに傾斜している面上に載置された複数部材の長手方向配列の正しい構成に欠けていることによる破壊を阻止するある一定の大きさの機械的抵抗を提供するＵ形状の基部およびアーム部に延長していなければならない。いずれの場合においても、耐漏洩性がたとえばシーラントのような公知の手段によって達成される。
【００１２】
溶接による既存タイプの閉塞結合部材は相当な長さに達する連結モジュールの構成としては裂け目の形成の可能性があるために推奨できない。
【００１３】
さらに重ね合わせによる既存の結合部材において、一つのモジュールがこのモジュールの端部域で前もって下げられた別のモジュールが積み重ねられ、両者間のシールタイト結合され、かつ、接着剤、溶接またはねじのような公知の方法で結合部材を具体化する。このタイプの結合部材において、単純化を実現する利点があるが、下方域の存在が結合部材の抵抗性を低下させる。
【００１４】
別の公知タイプの結合体は、要素の一つを他の要素に結合することによって実行される締付効果を生成することに基づいて加圧ないしプレスインされる。この構成はモジュールの端部だけでなく閉封カバーの調整が必要であり、これによって複数のリッジまたはスロットおよび複数の舌片またはクリップをモジュールの端部およびカバー上に適切に配置し、前記端部を舌片／スロットの適切な組み合わせで配置するために、単一端部またはカバー内に同時に舌片とスロットを配置する工程を含んでいる。したがって、結合されるべき要素の一つ（モジュールまたはカバー）の空隙／舌片が前要素に結合されるべき要素の対応する舌片／空隙内に嵌合される。このタイプの結合部材において、結合されるべき部材の材料は結合部材のシーリングおよび抵抗性によって達成される耐漏洩性と両立するある一定の弾性を有していなければならない。
【００１５】
別のタイプの結合部材において、結合されるべき要素が一度その正しい位置に配置されると、結合部材となり、継ぎ目板によって補強される。このタイプの結合部材はモジュールの強度と同等またはそれ以上の強度を有している。
【００１６】
上述した結合システムおよび先例の解決策に基づいた他のシステムのいずれも、漏水の可能性に対して耐漏洩である集合体を得るために本考案の装飾容器に使用することができる。ただし、この目的のために生成された排水システムによって形成しなければならないこと、また多数の場合に完全に平坦ではない水平面に、すなわち、僅かに傾斜した面上に配置することができるように適切な抵抗性を提供されることは別である。本明細書において、抵抗性および耐漏洩性の理由で、好ましいタイプの実施例はプレスイン式および舌片−スロット固定タイプであるが、これらの結合部材のためにこのタイプに限定はしない。なぜなら当該技術において周知である多数のシステムが、本考案に適しており、またＵ字状セクションを伴う部材中でシール−タイト結合部材を容易にするからである。
【００１７】
本考案の装飾容器は、そのオープン設計と結合手段を使用しているために互いに容易に集合される刷新的モジュールを形成する単一の連続装飾容器であり、その設計により均質、かつ、抵抗性のある剛性、耐漏洩性集合体を容易にする。単一の装飾容器が設計され、これによって照明要素が適切な補助手段によってモジュールに固定することができる。
【００１８】
単一の標準化装飾容器は、長手方向モジュール、角度モジュールおよび開口端モジュールで形成され、上方開口部はモジュールの基部よりも僅かに大きくなっている。好ましい実施例において、これらのモジュールは二重内部壁を特徴とし、この壁はモジュールと同寸であり、かつ、同じ高さを有しており、さらにモジュールの横方向寸法の１／３の下方段階域を伴った段階をなしているのが好ましい。前記部分的二重壁の上方部分、または二重壁の下方段階域の上方部分において、多数のホールが設けられており、ここに余剰水が収集され、装飾容器の基部における二重壁内部に配備されたホールによって外部に排出され、さらに換気および根と植物への酸素吸入を容易にしている。
【００１９】
最も好ましい実施例において、また、射出成形によって製造を容易にするために、長手方向モジュールと角度モジュール両者およびカバーは二つの独立したＵ字状部材を集合することによって実行される。すなわち、一つの部材がそのＵ字状部の上方開口部に他の部材が導入され、舌片とスロットによって固定され、これによって二重内方壁が形成される。
【００２０】
異なる種類であり、かつ、異なる角度を有している角度モジュールは、その開口端部の線間に形成される角度が９０°と１３５°であるのが好ましい。
【００２１】
最も好ましい実施例において、いずれのモジュール、長手方向モジュールまたは角度モジュールが完全二重壁を特徴とし、また一端でスロット、対向端で舌片の設けられた二つの部材で形成され、または結合体を許容するために各端において、これら両者を組み合わせ、またモジュールを互いに接着させる。装飾容器の端カバーには相似システムが設けられている。モジュールの端部およびカバーに設けられたスロットと舌片の構成は、いずれの他のモジュールまたはカバーとも結合することができ、またいずれのカバーもいずれのモジュールとも結合することができる。なぜなら、全ての長手方向モジュールがその長さに関係なく互いに同一であり、また角度モジュールがその角度に関係なく互いに同一であり、カバーが同一であるからである。
【００２２】
特定の場合として、上述の構成は角度モジュールのみを伴う装飾容器の形成を容易にし、たとえば四つの９０°角度モジュールを結合した円形に形成することができることを意味している。
【００２３】
全ての長手方向モジュールは、その下方外方域で長手方向に設けられた閉止チャネル上に肩部を含んでおり、これを連続させるか、またはより小さい寸法の別個のユニットを形成することができ、この目的は長手方向モジュールと支持面間の直接接触を回避することである。
【００２４】
角度モジュールは、その構造によりこれらの肩部を含めることもでき、あるいは含めなくてもよい。
【００２５】
標準化装飾容器を形成する別の部材は、単一装飾容器を形成するための異なるモジュールの端部閉封カバーである。モジュールの端部の閉封カバーまたはその集合体は、その設計のために側部を、集合されるべきモジュールの端部を嵌合するためのスロットを備えた二重壁とする。その内部の底部材において、互いに結合されたモジュールの下方部材を嵌合するための二重壁を備え、水を排出するために上方部分に数個のホールが設けられ、さらに二重側壁の下方側部が広くなっており異なる寸法を有するモジュールの二重壁の導入を容易にしている。
【００２６】
単一モジューラ・フォロワ・ボックスのモジュール端部を覆う閉封カバーの別の変形例が、二つの部材で形成される。その閉封面の基部にこれに固定された側方カラーを含んでいるが、開口Ｕ字状部分に嵌合するための周縁肩部を残しており、これら二つの部材はこの部材と基部間の全周縁の回りに一連のホールを含んでおり、モジュールの端部がねじまたはシーリングあるいはねじ−シーリングの組み合わせによって剛性、かつ、シールタイト閉封部材を形成して嵌合されている。
【００２７】
本考案の特徴を下記する説明で完全にするとともに理解するために、本明細書には本考案の目的とする刷新性と利点をより容易に理解できることを基準とした図面を添付する。
【考案を実施するための最良の形態】
【００２８】
実質的に実用新案登録請求の範囲に記載の本考案の特徴を変更しない限り、形状、材料およびこれを形成している全体的および部分的構成の変更を付加する必要があるときのみ、本考案の特徴だけでなくこれを実行するための異なる手順についても説明する。
【００２９】
本考案の最も好ましい実施例を図１〜１２に示し、長手方向モジュール、角度モジュールおよび最初と最後の長手方向モジュールまたは角度モジュールの自由端部に配備された閉封カバーによって形成されている。
【００３０】
この好ましい実施例において、装飾容器を形成している各部材はセットをなす二つの部材で形成されており、一つの内方部材と一つの外方部材で、複数の対応するスロットに嵌合する複数のクリップないし舌片によって互いに結合されている。前記舌片は部材の一つを実現し、スロットが相補的部材となる。または舌片とスロットが各部材を同時に実現する。このようにして形成された各モジュールまたはカバーは、形成された二つの部材が一度合成され、固定されると、各部材の壁および底部の全体に沿った連続内方二重壁が形成される。この二重壁は各モジュールの端部およびカバーの舌片またはクリップおよびスロットの適切な組み合わせで形成され、異なるモジュール要素が舌片および／またはスロットの嵌合によって互いに結合を容易にしているが、それがモジュールであろうとカバーであろうと、要素のスロットおよび／または舌片が最初の一つに結合される。
【００３１】
モジュラー要素には、ある種の照明要素をこれに固定することができるように準備される。
【００３２】
図１は本考案の標準化装飾容器の好ましい実施例の集合例を示す斜視図であり、二つの長手方向モジュール１００と二つの角度モジュール２００と二つの閉封カバー４００を示している。モジュールの二つの端部およびカバーの端部の形状にスロット構造が形成され、舌片がいずれのモジュールと他のいずれのモジュールまたはカバーとの結合とを容易にし、また、いずれのカバーもいずれのモジュールにも結合できるようなっており、全ての長手方向モジュールはその長さに関係なく同一であり、また、角度モジュールはその角度に関係なく同一であり、カバーも同一である。
【００３３】
図２に示した被集合長手方向モジュール１００は、その横方向部材内に段階付き二重壁１２０を形成しており、各モジュールの底部に沿って連続して延長している。二重壁１２０の下方横方向部分１２０Ａは、前記二重壁の上方横方向部分の残り部分よりも僅かに大きい横断幅を有していて余剰水のための空間を提供している。前記下方横方向部分１２０Ａが二重壁１２０からモジュール１００の横方向高さのほぼ１／３の高さまで延長している。二重壁１２０の前記下方横方向部分１２０Ａがその表面ないし上方水平段上に一連のホール１２４を有しており、ここに余剰水が排出され、また植物の根および装飾容器内の土の換気も許容している。植物の根をよりよく空気にさらすために、微細孔を長手方向モジュールの側部に設けることもでき、所望の耐漏洩性を維持するために上方部分を排水のために常に二重壁としている。
【００３４】
前記図２において、長手方向モジュール１００およびこれを形成している二つの部材、すなわち、第１外方部材１００Ａと第２内方部材１００Ｂを示している。
【００３５】
両部材は舌片およびスロットによって互いに結合されている。すなわち、第１の複数の舌片１０１が前記第１部材１００Ａの下方域内に配備され、ここに前記第１部材と内方部材１００Ｂを結合させるための小さい隆起部が設けられている。また複数の第１対応スロット１０２が、第２内方部材１００Ｂに配備され、同じ上方水平段上に前記第１内方部材を外方部材１００Ａに結合するためのホール１２４を有している。さらに、第１外方部材１００Ａの横方向壁の上方エッジに、複数の長手方向スロットが配備されている。この目的はここに第２部材１００Ｂの横方向壁の上方エッジ上に配備された複数の長手方向舌片を嵌合することである。舌片とスロットのこれらの結合体によって、二つの部材１００Ａ，１００Ｂが完全に一緒に固定され、長手方向集合モジュール１００が形成される。外方部材１００Ａの基部ないし底部には多数の凹部域１０３が設けられ、床上に休止するための肩部を形成している。同様にして、内方部材１００Ｂの基部ないし底部には数個の凹部域１０４が設けられ、外方部材１００Ａの低部ないし基部上に形成された対応する凹部域１０３内に概して嵌合されている。
【００３６】
内方部材１００Ｂには底部および横方向壁１０５，１０７上の外部に、また前記横方向壁１０６の上方部材上に複数の補強筋が設けられており、その先端がほぼ半円形境界線によって切り取られている。
【００３７】
一つのモジュールと別のモジュール、長手方向モジュールまたは角度モジュールによる結合体を実行するために、各モジュールの端部に舌片およびスロットが、モジュール１００の第１端部において、部材１００Ａと部材１００Ｂ両者の第１二重垂直壁の境界域に複数のスロットが設けられ、一方対向する二重垂直壁の境界域に複数の舌片が設けられ、部材１００Ａの舌片が部材１００Ａの内面に配備され、また部材１００Ｂの舌片が部材１００Ｂの外面に配備され、モジュール１００の第２端において、同じ二重垂直壁の境界域の前記第１端に複数のスロットが設けられ、部材１００Ａの舌片がその部材１００Ａの内面に設けられ、部材１００Ｂの舌片がその部材１００Ｂの外面に設けられ、モジュール１００の基礎にある境界域において、図５に示したように一連１１０の偶数の舌片とスロットが交互に、すなわち、モジュール１００の第１端で舌片−スロット−舌片−スロットのように、また、モジュール１００の第２端でスロット−舌片−スロット−舌片のように配備されることによって設けられる。
【００３８】
同様にして、角度モジュールが二重連続壁を有しており、二つの部材、すなわち、筋で補強された一つの内方部材２００Ｂと他の外方部材２００Ａ、および排水ホールとによって形成され、したがって、根および土の換気を許容している。また、角度モジュールには長手方向モジュールについて説明したようにして完全に均一なスロットおよびクリップないし舌片が設けられている。この理由のために、いずれの長手方向モジュールまたは角度モジュールも、上述したようにスロットおよびクリップまたは舌片を有する同じシステムを伴う他の長手方向モジュールまたは角度モジュールと結合することができる。
【００３９】
同様にして、カバー４００は二重連続壁を有し、二つの部材、すなわち、筋で補強された一つの内方部材４００Ｂと他の外方部材４００Ａ、および排水ホールとによって形成され、したがって、根および土の換気を許容している。これらのカバーには長手方向モジュールおよび角度モジュールに関して説明したようにして均一なスロットおよびクリップまたは舌片が設けられている。スロット−舌片−スロット−舌片のような単一順序をとることが全てのカバーで同一となるという事実を考慮すると、カバーは互いに同一になる。
【００４０】
この方法において、スロットと舌片の構成は、したがっていずれのモジュールもいずれの他のモジュールまたはカバーとも結合することができ、またいずれのカバーもいずれのモジュールとも結合することができ、全ての長手方向モジュールがその長さに関係なく互いに同じになり、角度モジュールがその角度に関係なく同じになり、カバーが同じになる。モジュールまたはカバーの端部において、クリップのスロット等との多数の組み合わせが形成でき、これによってこれら全ての部材が互いに一致し、結合体の単一システムを使用することが必ずしも必要ではない。
【００４１】
単一装飾容器を形成する一連のモジュールおよびカバーによる結合体の最終シーリングは、外部環境に水を漏洩させないようになっている。これは全ての余剰水が外部へ水を排出するための従来手段を備えた二重壁によって収集されるからである。装飾容器のカバーは、その内方部材および底部部材にホール−停止部材を有しており、各季節に一度排水、または装飾容器のシール部材の洗浄に使用することができる。
【００４２】
長手方向モジュールおよび角度モジュールは互いに積み重ねて適切に設計され（図２、３および４）参照、開口部材のより大きい寸法のために二重壁の肩部上に休止された下方面が排水をもたらし、したがって部材の保護および部材は必要とされる貯蔵空間の縮小を達成している。
【図面の簡単な説明】
【００４３】
【図１】長手方向モジュール、および角度モジュールおよびカバーを実現する装飾容器の斜示図である。
【図２】図１の好ましい実施例による長手方向モジュールを垂直方向に積層した図である。
【図３】図１の好ましい実施例による角度モジュールを垂直方向に積層した図である。
【図４】図１の好ましい実施例によるカバーを垂直方向に積層した図である。
【図５】結合されるべき要素の端部における舌片／スロットの構成によるモジュール間、またはモジュールとカバー間の結合の詳細例を示す図である。
【図６】図１の装飾容器の角度モジュールを、形成している二つの部材を見ることができる斜示図である。
【図７】図１の装飾容器のカバーを、形成している二つの部材を見ることができる斜示図である。
【図８】図１の装飾容器の同じ角度モジュールを同じ長手方向モジュールに結合する二つの方法を示す斜示図である。
【図９】長手方向モジュールと角度モジュールとカバーで実現される装飾容器の数例を示す斜示図である。
【図１０】図１の好ましい実施例で長手方向モジュールを垂直方向に積層する方法を示す図である。
【図１１】図１の好ましい実施例で角度モジュールを垂直方向に積層する方法を示す図である。
【図１２】図１の好ましい実施例でカバーを垂直方向に積層する方法を示す図である。
【図１】
0003123113.tif 000003
【図２】
0003123113.tif 000004
【図３】
0003123113.tif 000005
【図４】
0003123113.tif 000006
【図５】
0003123113.tif 000007
【図６】
0003123113.tif 000008
【図７】
0003123113.tif 000009
【図８】
0003123113.tif 000010
【図９】
0003123113.tif 000011
【図１０】
0003123113.tif 000012
【図１１】
0003123113.tif 000013
【図１２】
0003123113.tif 000014